(57)【特許請求の範囲】
【請求項１】
長尺の本体と、
上記本体の長さ方向と直交するように該本体に装着される操作棒と、
それぞれの一端側が上記操作棒の長さ方向と平行な軸周りに回動可能に、かつ、上記本体の長さ方向に所定ピッチで上記本体に取り付けられた少なくとも３本のスイングアームと、
上記少なくとも３本のスイングアームのそれぞれを上記本体の長さ方向および上記軸の軸心に対して直交する方向に上記本体から延出する作動位置に係止して該スイングアームの上記軸周りの回動を阻止するスイングアーム係止手段と、
上記作動位置にある上記少なくとも３本のスイングアームのそれぞれの他端側と該スイングアームに対して上記本体の長さ方向の一側に所定距離離れた該本体の部位との間に張設されたワイヤを備え、該ワイヤが上記本体の長手方向の一側から該スイングアームに接近する障害物により押圧されると、上記スイングアーム係止手段による上記スイングアームの係止を解除させるスイングアーム係止解除手段と、
上記少なくとも３本のスイングアームのそれぞれを上記作動位置に向かって付勢する方向に上記軸に取り付けられる付勢手段と、
鍔が上記所定ピッチと同一ピッチで設けられ、該鍔が上記作動位置にある上記少なくとも３本のスイングアームの他端にそれぞれ長さ方向の一側に密接して位置するように装着され、かつ、ガイドロープが長さ方向の他側の端部に取り付けられる長尺の案内棒と、
上記少なくとも３本のスイングアームのそれぞれが上記作動位置にあるときに該スイングアームと上記案内棒とを係止し、該スイングアームが上記作動位置から上記軸周りに回動する際に該スイングアームと該案内棒との係止を解除する案内棒着脱手段
とを備えたことを特徴とするケーブル延線用ガイドロープ引き装置。
【請求項２】
上記少なくとも３本のスイングアームのそれぞれが収納される開口が上記本体の長さ方向に上記所定ピッチで該本体に設けられ、上記少なくとも３本のスイングアームは、それぞれの一端側が上記本体の上記開口内に収納されて上記軸周りに回動可能に取り付けられ、かつ、上記作動位置からの上記軸周りに回動する際に上記本体と重なり合う部分が上記本体の上記開口内に収納されるように構成されていることを特徴とする請求項１記載のケーブル延線用ガイドロープ引き装置。
【請求項３】
上記スイングアーム係止手段が、上記少なくとも３本のスイングアームの一端側に対してそれぞれ上記本体の長さ方向の一側に上記本体の長さ方向に往復移動可能に上記本体内に配設された係止ピンと、上記少なくとも３本のスイングアームのそれぞれの一端側に設けられ、上記係止ピンの往復移動により該係止ピンが挿脱される孔と、上記係止ピンが上記孔に挿入される方向に該係止ピンを付勢する第１のスプリングとから構成されていることを特徴とする請求項２記載のケーブル延線用ガイドロープ引き装置。
【請求項４】
上記スイングアーム係止解除手段が、上記少なくとも３本のスイングアームのそれぞれに配設され、バネ力が上記第１のスプリングのバネ力より大きく設定された第２のスプリングと、上記係止ピンの上記本体の長さ方向の一側にそれぞれ配設されたローラおよび上記少なくとも３本のスイングアームの他端側にそれぞれ配設されたローラに掛け渡され、一端が上記係止ピンに接続され、他端がピンを介して上記第２のスプリングに接続されて上記係止ピンと上記ピンとの間に張設された上記ワイヤと、上記ピンに固着されて、上記少なくとも３本のスイングアームが上記作動位置にある時に、上記係止ピンの上記孔への挿入状態が維持されるように上記第２のスプリングのバネ力を受け止めるストッパとから構成されていることを特徴とする請求項３記載のケーブル延線用ガイドロープ引き装置。
【請求項５】
上記案内棒が磁性材料で作製され、上記案内棒着脱手段が上記少なくとも３本のスイングアームの他端にそれぞれ装着されたマグネットで構成されていることを特徴とする請求項１乃至請求項４のいずれかに記載のケーブル延線用ガイドロープ引き装置。
【請求項６】
間隔が外方に向かって徐々に大きくなるように構成された一対のガイドが上記少なくとも３本のスイングアームの他端にそれぞれ装着されていることを特徴とする請求項５記載のケーブル延線用ガイドロープ引き装置。
【請求項７】
上記案内棒着脱手段が、上記少なくとも３本のスイングアームの他端にそれぞれ装着された外側が開口する断面Ｃ状の把持部と、上記案内棒の上記鍔のそれぞれから長さ方向の他側に所定距離離れた部位が上記把持部の開口を挿脱させる径に縮小化された径小部とから構成されていることを特徴とする請求項１乃至請求項４のいずれかに記載のケーブル延線用ガイドロープ引き装置。
【発明の詳細な説明】
【０００１】
【発明の属する技術分野】
この発明は、例えばプラント建設において、電気設備の電源用および制御用のケーブルを延線する際に行われるガイドロープの延線作業に適用されるケーブル延線用ガイドロープ引き装置に関するものである。
【０００２】
【従来の技術】
プラント建設においては、電気設備の電源用や制御用の多数のケーブルが天井に吊設されたケーブルラック内に布設される。
ここで、従来のケーブル布設作業について図１０を参照しつつ説明する。
ケーブルラック１は、一対の親桁１ａを互いに平行に配置し、子桁１ｂにより一対の親桁１ａの底部間を所定間隔毎に連結して構成されている。そして、一対の吊りボルト２がケーブルの布設経路に沿って所定間隔毎に天井から吊り下げられ、Ｌ型アングル３が各一対の吊りボルト２の下端に装着されている。このように空中に所定間隔毎に吊設されたＬ型アングル３上にケーブルラック１が連ねて載せられ、隣接するケーブルラック１の端部同士が継ぎ金具（図示せず）により連結され、さらにケーブルラック１の親桁１ａが振れ止め金具（図示せず）によりＬ型アングル３に固着されて、ケーブルラック１がケーブルの布設経路に沿って設置されている。
【０００３】
ついで、ケーブルラック１に梯子４を掛け、作業者Ｍが梯子４に上り、両手を使ってガイドロープ５をケーブルの布設経路の始端側から後端側に向かってケーブルラック１内に延線する。ガイドロープ５が延線されると、ケーブルの布設経路の始端側において、ガイドロープ５の端部にケーブルドラム（図示せず）に巻き付けられているケーブルの先端を固着する。そして、ケーブルの布設経路の後端側に設置されているウインチにガイドロープ５を巻き付けて、ガイドロープ５を牽引する。すると、ガイドロープ５がケーブルラック１内をケーブルの布設経路の始端側から後端側に向かって走行する。これに伴ってケーブルがケーブルドラムから繰り出され、ケーブルラック１内に延線される。
このようにして、１本のケーブルの延線が終了すると、上述の作業を繰り返し行って所定本数のケーブルを延線し、ケーブルの布設作業が完了されることになる。
【０００４】
【発明が解決しようとする課題】
従来のケーブル布設作業においては以上のように、作業者Ｍが空中に延設されたケーブルラック１に掛けられた梯子４に上って、ガイドロープ５をケーブルラック４内に延線する作業が行われていた。このガイドロープ５の延線作業は、高所での両手による作業となり、作業者の緊張を高めるとともに、梯子４の上り下りが多くなり、作業時間が著しく長くなるという課題があった。
【０００５】
この発明は、上記のような課題を解決するためになされたもので、天井に吊設されたケーブルラック内に床面からガイドロープを延線できるようにし、作業者の負荷を軽減するとともに、作業時間の短縮を図ることができるケーブル延線用ガイドロープ引き装置を得ることを目的とする。
【０００６】
【課題を解決するための手段】
この発明に係るケーブル延線用ガイドロープ引き装置は、長尺の本体と、上記本体の長さ方向と直交するように該本体に装着される操作棒と、それぞれの一端側が上記操作棒の長さ方向と平行な軸周りに回動可能に、かつ、上記本体の長さ方向に所定ピッチで上記本体に取り付けられた少なくとも３本のスイングアームと、上記少なくとも３本のスイングアームのそれぞれを上記本体の長さ方向および上記軸の軸心に対して直交する方向に上記本体から延出する作動位置に係止して該スイングアームの上記軸周りの回動を阻止するスイングアーム係止手段と、上記作動位置にある上記少なくとも３本のスイングアームのそれぞれの他端側と該スイングアームに対して上記本体の長さ方向の一側に所定距離離れた該本体の部位との間に張設されたワイヤを備え、該ワイヤが上記本体の長手方向の一側から該スイングアームに接近する障害物により押圧されると、上記スイングアーム係止手段による上記スイングアームの係止を解除させるスイングアーム係止解除手段と、上記少なくとも３本のスイングアームのそれぞれを上記作動位置に向かって付勢する方向に上記軸に取り付けられる付勢手段と、鍔が上記所定ピッチと同一ピッチで設けられ、該鍔が上記作動位置にある上記少なくとも３本のスイングアームの他端にそれぞれ長さ方向の一側に密接して位置するように装着され、かつ、ガイドロープが長さ方向の他側の端部に取り付けられる長尺の案内棒と、上記少なくとも３本のスイングアームのそれぞれが上記作動位置にあるときに該スイングアームと上記案内棒とを係止し、該スイングアームが上記作動位置から上記軸周りに回動する際に該スイングアームと該案内棒との係止を解除する案内棒着脱手段とを備えたものである。
【０００７】
また、上記少なくとも３本のスイングアームのそれぞれが収納される開口が上記本体の長さ方向に上記所定ピッチで該本体に設けられ、上記少なくとも３本のスイングアームは、それぞれの一端側が上記本体の上記開口内に収納されて上記軸周りに回動可能に取り付けられ、かつ、上記作動位置からの上記軸周りに回動する際に上記本体と重なり合う部分が上記本体の上記開口内に収納されるように構成されているものである。
【０００８】
また、上記スイングアーム係止手段が、上記少なくとも３本のスイングアームの一端側に対してそれぞれ上記本体の長さ方向の一側に上記本体の長さ方向に往復移動可能に上記本体内に配設された係止ピンと、上記少なくとも３本のスイングアームのそれぞれの一端側に設けられ、上記係止ピンの往復移動により該係止ピンが挿脱される孔と、上記係止ピンが上記孔に挿入される方向に該係止ピンを付勢する第１のスプリングとから構成されているものである。
【０００９】
また、上記スイングアーム係止解除手段が、上記少なくとも３本のスイングアームのそれぞれに配設され、バネ力が上記第１のスプリングのバネ力より大きく設定された第２のスプリングと、上記係止ピンの上記本体の長さ方向の一側にそれぞれ配設されたローラおよび上記少なくとも３本のスイングアームの他端側にそれぞれ配設されたローラに掛け渡され、一端が上記係止ピンに接続され、他端がピンを介して上記第２のスプリングに接続されて上記係止ピンと上記ピンとの間に張設された上記ワイヤと、上記ピンに固着されて、上記少なくとも３本のスイングアームが上記作動位置にある時に、上記係止ピンの上記孔への挿入状態が維持されるように上記第２のスプリングのバネ力を受け止めるストッパとから構成されているものである。
【００１０】
また、上記案内棒が磁性材料で作製され、上記案内棒着脱手段が上記少なくとも３本のスイングアームの他端にそれぞれ装着されたマグネットで構成されているものである。
【００１１】
また、間隔が外方に向かって徐々に大きくなるように構成された一対のガイドが上記少なくとも３本のスイングアームの他端にそれぞれ装着されているものである。
【００１２】
また、上記案内棒着脱手段が、上記少なくとも３本のスイングアームの他端にそれぞれ装着された外側が開口する断面Ｃ状の把持部と、上記案内棒の上記鍔のそれぞれから長さ方向の他側に所定距離離れた部位が上記把持部の開口を挿脱させる径に縮小化された径小部とから構成されているものである。
【００１３】
【発明の実施の形態】
以下、この発明の実施の形態を図について説明する。
実施の形態１．
図１はこの発明の実施の形態１に係るケーブル延線用ガイドロープ引き装置を示す斜視図、図２はこの発明の実施の形態１に係るケーブル延線用ガイドロープ引き装置の要部を示す一部破断上面図である。
図１および図２において、ガイドロープ引き装置１００は、長尺の本体１０と、この本体１０に軸２１周りに回動自在に取り付けられた３本の長尺のスイングアーム２０と、伸縮自在に構成され、本体１０に装着された操作棒３０と、ガイドロープ５の先端に取り付けられる案内棒４０とから構成されている。
【００１４】
本体１０は、中空の矩形断面をなし、スイングアーム２０が挿入される開口１０ａが一方の側面に長さ方向に所定ピッチで穿設されている。また、操作棒取付部１５が開口１０ａを穿設した一方の側面と逆側の本体１０の他方の側面に、かつ、本体１０の長さ方向の略中央に配設されている。さらに、操作棒取付部１５には、操作棒３０の先端部が嵌着される取付穴１５ａが設けられている。この取付穴１５ａの穴中心は後述する軸２１の軸心と平行となっている。
【００１５】
スイングアーム２０は、中空の矩形断面をなし、長さ方向の一端側の端面が円弧面に形成されている。そして、スイングアーム２０は、長さ方向の一端側が各開口１０ａ内に挿入され、それぞれ軸心が本体１０の長さ方向と直交する軸２１周りに回動自在に本体１０に取り付けられている。付勢手段としてのコイルバネ２２がスイングアーム２０の長さ方向の一端側に装着され、スイングアーム２０を軸２１周りに図２中時計回り方向に付勢している。また、各スイングアーム２０の一端側に対してそれぞれ本体１０の長さ方向の一側に、本体１０の長さ方向に往復移動可能に本体１０内に配設された係止ピン１１がスイングアーム２０の長さ方向の一端側に穿設された孔２０ａに挿入され、軸２１周りのスイングアーム２０の回動が阻止される。この時、スイングアーム２０は、軸２１の軸心と直交する平面において、本体１０の長さ方向に対して直交する方向に本体１０の一方の側面から延出する作動位置に固定される。この係止ピン１１は第１のスプリング１２により孔２０ａに挿入される方向に付勢され、係止ピン１１の孔２０ａへの挿入度合いはストッパ１１ａにより規制されている。
【００１６】
また、第２のスプリング２３がスイングアーム２０内に配設され、ピン２４が第２のスプリング２３の先端に取り付けられている。そして、係止ピン１１とピン２４とが、係止ピン１１に対して本体１０の長さ方向の一側に本体１０内に配設されたローラ１３とスイングアーム２０の長さ方向の他端側に配設されたローラ２５とに掛け渡されたワイヤ２６により連結されている。この第２のスプリング２３のバネ力は第１のスプリング１２のバネ力に対して大きく設定されており、ワイヤ２６は第２のスプリング２３により緊張状態でスイングアーム２０に対して本体１０の長さ方向の一側に張設されている。そして、この第２のスプリング２３のバネ力はピン２４のストッパ２４ａにより受け止められ、係止ピン１１の孔２０ａへの挿入状態が確保されている。また、スイングアーム２０の長さ方向の他端には、マグネット２７が装着されているとともに、一対のガイド２８が間隙を外方に向かって徐々に広くするように配設されている。
【００１７】
操作棒３０は伸縮自在に構成され、その先端が本体１０の操作棒取付部１５の取付穴１５ａに嵌着される。案内棒４０は、磁性材料である鉄板を長尺の薄板状に成形されたもので、鍔４１が長さ方向に所定ピッチに設けられている。鍔４１の配設ピッチは、スイングアーム２０の配設ピッチと等しくなっている。また、案内棒４０の端部にはガイドロープ５を取り付けるための取付穴４０ａが設けられている。
なお、係止ピン１１、第１のスプリング１２および孔２０ａからスイングアーム係止手段が構成され、ローラ１３、２５、第２のスプリング２３、ピン２４、ストッパ２４ａおよびワイヤ２６からスイングアーム係止解除手段が構成され、マグネット２７から案内棒着脱手段が構成されている。
【００１８】
ついで、このように構成されたガイドロープ引き装置１００の基本動作について説明する。
このガイドロープ引き装置１００は、操作棒３０の先端が操作棒取付部１５の取付穴１５ａに嵌着されて、図１に示されるように、組み立てられる。そして、操作棒３０を鉛直に起立させると、本体１０およびスイングアーム２０はその長さ方向が水平となり、各スイングアーム２０が本体１０の一方の側面から本体１０の長さ方向に対して直交する方向に延出している。
また、案内棒４０が各スイングアーム２０の他端に保持されている。この時、長尺の薄板状の案内棒４０は、その厚み方向の一方の面がマグネット２７に磁気吸引されて、スイングアーム２０からの離反が規制され、その幅方向の両端が一対のガイド２８に挟み込まれて、スイングアーム２０に対する案内棒４０の幅方向の移動が規制され、さらに鍔４１がスイングアーム２０の他端および一対のガイド２８に接して、スイングアーム２０に対する案内棒４０の長さ方向の一方向の移動が規制ている。
【００１９】
そこで、ワイヤ２６に図２中矢印Ａ方向の力が作用すると、第１のスプリング１２には係止ピン１１のストッパ１１ａを介して圧縮させる力が作用し、一方第２のスプリング２３にはピン２４を介して伸長させる力が作用する。この時、第２のスプリング２３のバネ力が第１のスプリング１２のバネ力より大きく設定されているので、第１のスプリング１２が収縮されて、係止ピン１１が孔２０ａから抜ける。即ち、係止ピン１１と孔２０ａとの係合が解除され、スイングアーム２０は軸２１周りに回動可能な状態となる。
そして、マグネット２７の磁気吸引力より大きな図２中矢印Ａ方向の力がスイングアーム２０に作用すると、マグネット２７が案内棒４０から引き離され、スイングアーム２０は図２中軸２１周りに矢印Ｂ方向に回動を始める。このスイングアーム２０の回動により、コイルバネ２２の蓄勢が増大する。この時、第２のスプリング２３が伸長することで、ピン２４が繰り出され、ワイヤ２６の長さ（ピン２４の繰り出し量を含めた長さ）が見かけ上長くなり、スイングアーム２０がスムーズに回動される。また、スイングアーム２０の一端側の端面が円弧状に形成されているので、スイングアーム２０の一端側が係止ピン１１の先端に衝突せず、スイングアーム２０がスムーズに回動される。
このスイングアーム２０は、軸２１周りの矢印Ｂ方向の回動動作により、本体１０との重なり部分が開口１０ａから本体１０内に徐々に入り込み、ついには本体１０内に納められる。
【００２０】
そこで、矢印Ａ方向の力が解除されると、コイルバネ２２に蓄勢された付勢力によりスイングアーム２０は軸２１周りに矢印Ｂと逆方向に回動を始める。このスイングアーム２０の回動動作により、第２のスプリング２３が収縮し、ピン２４が引き戻され、ワイヤ２６の長さ（ピン２４の引き戻し量を含めた長さ）が見かけ上短くなる。ついには、ピン２４のストッパ２４ａが働き、第２のスプリング２３の収縮が阻止される。そのとき、スイングアーム２０は本体１０の長さ方向に対して直交する状態（作動位置）となり、第１のスプリング１２の付勢力により係止ピン１１が孔２０ａに挿入され、スイングアーム２０の回動が阻止される。
このスイングアーム２０の矢印Ｂと逆方向の回動動作において、案内棒４０の幅方向の両端面が、間隙を外方に向かって徐々に広くするように構成された一対のガイド２８に案内されて位置決めされ、ついにはマグネット２７が案内棒４０の厚み方向の一方の面に磁気吸着する。そして、鍔４１がスイングアーム２０の端面および一対のガイド２８に当接し、元の状態（作動位置）に戻る。
【００２１】
つぎに、このガイドロープ引き装置１００を用いたケーブル布設作業について図３乃至図７を参照しつつ説明する。なお、図４乃至図７においては、便宜上、ケーブルラックが省略されている。
まず、ケーブルラック１がケーブルの布設経路に沿って設置される。そして、ガイドロープ５を取付穴４０ａに結びつけ、鍔４１がスイングアーム２０の端面および一対のガイド２８に当接するように案内棒４０をスイングアーム２０の先端に装着する。ついで、ケーブルの布設経路の始端側において、作業者Ｍが操作棒４０を持ってガイドロープ引き装置１００を持ち上げ、図３に示されるように、案内棒４０をケーブルラック１上に位置するようにする。そして、作業者Ｍがケーブルの布設経路の始端側から後端側に向かって移動する。この時、作業者Ｍの移動力が、スイングアーム２０の端面、一対のガイド２８及び鍔４１を介して案内棒４０に作用するので、ガイドロープ５が案内棒４０に引き連れられて牽引され、ケーブルラック１内に延線される。
【００２２】
このガイドロープ引き装置１００の移動において、移動方向Ｃ側の１番目のスイングアーム２０が、図４に示されるように、障害物としての吊りボルト２に接近する。そして、ガイドロープ引き装置１００をさらに移動方向Ｃに移動させると、図５に示されるように、ワイヤ２６が吊りボルト２に押され、張力が増す。このワイヤ２６の張力が第１のスプリング１２の付勢力にうち勝つと、係止ピン１１が孔２０ａから抜け、１番目のスイングアーム２０が軸２１周りに回動可能となる。ガイドロープ引き装置１００をさらに移動方向Ｃに移動させると、１番目のスイングアーム２０が吊りボルト２に当接し、ついでマグネット２７が案内棒４０から引き離され、図６に示されるように、該スイングアーム２０が軸２１周りに移動方向Ｃと逆方向に回動する。
そして、１番目のスイングアーム２０の先端が吊りボルト２を乗り越えると、該スイングアーム２０がコイルバネ２２の付勢力により軸２１周りに移動方向Ｃの方向に回動し、マグネット２７が案内棒４０に磁気吸着し、スイングアーム２０の先端および一対のガイド２８が鍔４１に当接する。同時に、係止ピン１１が孔２０ａに挿入され、１番目のスイングアーム２０の回動が阻止される。
【００２３】
ガイドロープ引き装置１００をさらに移動方向Ｃに移動させると、２番目のスイングアーム２０のワイヤ２６が吊りボルト２に押され、係止ピン１１が孔２０ａから抜け、２番目のスイングアーム２０が軸２１周りに回動可能となる。そして、２番目のスイングアーム２０が吊りボルト２に当接し、ついでマグネット２７が案内棒４０から引き離され、図７に示されるように、該スイングアーム２０が軸２１周りに移動方向Ｃと逆方向に回動する。そして、２番目のスイングアーム２０の先端が吊りボルト２を乗り越えると、２番目のスイングアーム２０が軸２１周りに移動方向Ｃの方向に回動し、マグネット２７が案内棒４０に磁気吸着し、スイングアーム２０の先端および一対のガイド２８が鍔４１に当接するとともに、係止ピン１１が孔２０ａに挿入され、２番目のスイングアーム２０の回動が阻止される。
また、３番目のスイングアーム２０も同様に動作して、吊りボルト２を通過する。
この時、１本のスイングアーム２０が吊りボルト２を通過している間は、他の２本のスイングアーム２０が作動状態にあり、案内棒４０を支持しているので、ガイドロープ５を問題なく牽引することができる。
【００２４】
このようにして、各吊りボルト２の設置位置において、３本のスイングアーム２０が順次吊りボルト２を通過し、ケーブルの布設経路の後端側まで移動することになる。そして、ガイドロープ５が延線されると、従来のケーブル布設作業と同様に、ケーブルの布設経路の始端側において、ガイドロープ５の端部にケーブルドラムに巻き付けられているケーブルの先端を固着する。そして、ケーブルの布設経路の後端側に設置されているウインチにガイドロープ５を巻き付けて、ガイドロープ５を牽引する。すると、ガイドロープ５がケーブルラック１内をケーブルの布設経路の始端側から後端側に向かって走行する。これに伴ってケーブルがケーブルドラムから繰り出され、ケーブルラック１内に延線される。
このようにして、１本のケーブルの延線が終了すると、上述の作業を繰り返し行って所定本数のケーブルを延線し、ケーブルの布設作業が完了されることになる。
【００２５】
このように、この実施の形態１によれば、作業者Ｍが操作棒３０を持って本体１０をケーブルトレイ１の外側に持ち上げ、そして３本のスイングアーム２０の先端に装着された案内棒４０をケーブルトレイ１内に位置させた後、天井から吊設されたケーブルトレイ１に沿って移動すれば、各スイングアーム２０が順次軸２１回りに回動して吊りボルト２を乗り越えることができる。そこで、作業者がガイドロープ引き装置１００を持って天井から吊設されたケーブルトレイ１に沿って移動するだけで、ガイドロープ５をケーブルトレイ１内に延線でき、従来必要であったガイドロープ５の延線作業における高所での両手による作業や、梯子４の上り下りが不要となり、作業者の負荷を軽減するとともに、作業時間の短縮を図ることができる。
【００２６】
また、スイングアーム２０の一端側が本体１０内に収納されて軸２１周りに回動可能に取り付けられ、かつ、スイングアーム２０が作動位置から軸２１周りに回動する際に本体１０と重なり合う部分が本体１０内に収納されるので、装置の小型化が図られる。さらに、スイングアーム２０を本体１０内に収納した状態での運搬や収納が可能となり、運搬性および収納性の向上が図られる。
【００２７】
また、係止ピン１１が各スイングアーム２０の一端側に対してそれぞれ本体１０の長さ方向の一側に本体１０の長さ方向に往復移動可能に配設され、孔２０ａが複数のスイングアーム２０のそれぞれの一端側に係止ピン１１が挿脱できるように設けられ、第１のスプリング１２が係止ピン１１を孔２０ａに挿入する方向に付勢するように設けられているので、スイングアーム２０が作動位置にくると自動的に係止ピン１１が孔２０ａに挿入され、簡易な構造で、容易にスイングアーム２０を作動位置に位置決め固定できる。
また、スイングアーム２０の一端側の端面が円弧形状に形成されているので、スイングアーム２０の回動時における係止ピン１１との干渉がなく、スイングアーム２０のスムーズな回動動作が得られる。
【００２８】
また、バネ力が上記第１のスプリング１２のバネ力より大きく設定された第２のスプリング２３がスイングアーム２０内にそれぞれ配設され、ワイヤ２６がローラ１３、２５に掛け渡されて、係止ピン１１とピン２４との間に張設され、ストッパ２４ａがスイングアーム２０が作動位置にある時に、係止ピン１１の孔２０ａへの挿入状態が維持されるように第２のスプリング２４のバネ力を受け止めるようにピン２４に設けられているので、吊りボルト２がワイヤ２６に所定の張力を与えると係止ピン１１が孔２０ａから抜け、スイングアーム２０が回動可能な状態となり、さらにスイングアーム２０に作用する力の大きさに応じてピン２４が繰り出され、スイングアーム２０の回動動作がスムーズに行われる。そこで、吊りボルト２がスイングアーム２０に近接すると、速やかにスイングアーム２０の係止が解除されて、吊りボルト２がスイングアーム２０に当たり押圧したときに、スイングアーム２０が軸２１周りに回動できるようになり、スイングアーム２０が吊りボルト２を乗り越えてガイドロープ引き装置１００をケーブルトレイ１に沿って移動させることができる。
【００２９】
また、案内棒４０が鉄で作製され、マグネット２７がスイングアーム２０の他端にそれぞれ装着されているので、案内棒４０の装着を簡易に行える。
また、間隔が外方に向かって徐々に大きくなるように構成された一対のガイド２８がスイングアーム２０の他端にそれぞれ装着されているので、スイングアーム２０が作動位置に復帰する際に、ガイド２８の案内によりスイングアーム２０の案内棒４０への装着がスムーズに行われる。
【００３０】
実施の形態２．
図８はこの発明の実施の形態２に係るケーブル延線用ガイドロープ引き装置における案内棒の着脱を説明する要部斜視図である。
図８において、断面Ｃ状の把持部５０が開口を外側に向けてスイングアーム２０の他端に固着されている。一方、案内棒５１は外径が把持部５０の内径より小径の円形断面に形成された長尺の棒であり、鍔５２が長さ方向にスイングアーム２０の配設ピッチと同じピッチで設けられている。また、径小部５３が、案内棒５１の鍔５２のそれぞれから長さ方向の他側に所定距離離れた部位に設けられている。この径小部５３は、把持部５０の開口が挿脱できる径に縮小化されたものである。ここで、把持部５０および径小部５３から案内棒着脱手段が構成されている。
なお、他の構成は、上記実施の形態１と同様に構成されている。
【００３１】
この実施の形態２では、スイングアーム２０が作動位置にあるときには、図８中実線で示されるように、把持部５０が鍔５２に密接して案内棒５１に遊嵌されており、本体１０の移動力がスイングアーム２０および鍔５２を介して案内棒５１に伝達される。
そして、図８中矢印で示されるように、スイングアーム２０が軸２１周りに本体１０の長さ方向の他側に回動すると、把持部５０が鍔５２から離れ、案内棒５１に案内されて径小部５３に至る。この時、把持部５０の開口が径小部５３の外径より大径に形成されているので、さらに、スイングアーム２０が軸２１周りに本体１０の長さ方向の他側に回動すると、把持部５０が径小部５３から抜け出て案内棒５１から離れる。
また、スイングアーム２０が軸２１周りに本体１０の長さ方向の一側に回動すると、把持部５０はその開口から径小部５３に挿入され、その後鍔５２に密接するように案内棒５１に遊嵌され、把持部５０と案内棒５１とが係止される。
【００３２】
従って、この実施の形態２においても、スイングアーム２０の軸２１周りの回動動作により、スイングアーム２０と案内棒５１との係止、係止解除が行われるので、上記実施の形態１と同様の効果が得られる。
また、断面Ｃ状の把持部５０をスイングアーム２０の先端に取り付け、把持部５０の開口より小径の径小部５３を案内棒５１に形成しているので、スイングアーム２０の軸２１周りの回動動作により、把持部５０が案内棒５１に挿脱される。そこで、上記実施の形態１のように、案内棒４０を磁性材料で作製する必要がなく、案内棒５１を軽いアルミニウムや樹脂で作製できるようになり、装置の軽量化が図られる。
【００３３】
実施の形態３．
図９はこの発明の実施の形態３に係るケーブル延線用ガイドロープ引き装置を用いたガイドロープの延線作業を説明する斜視図である。
図９において、２つの操作棒取付部１５が開口１０ａを穿設した一方の側面と逆側の本体１０の他方の側面に、かつ、本体の長さ方向の略中央に並設されている。そして、連結された２本の操作棒３０の先端部がそれぞれ２つの操作棒取付部１５の取付穴１５ａに嵌着されるようになっている。
なお、他の構成は上記実施の形態１と同様に構成されている。
【００３４】
このように構成されたガイドロープ引き装置１０１は、連結された２本の操作棒３０の先端部がそれぞれ２つの操作棒取付部１５の取付穴１５ａに嵌着されて組み立てられ、ガイドロープ５が結び付けられた案内棒４０がスイングアーム２０の先端に装着される。そこで、ケーブル布設経路の始端側において、作業者Ｍが操作棒３０を持ってガイドロープ引き装置１０１を持ち上げ、図９に示されるように、案内棒４０をケーブルラック１上に位置するようにする。そして、作業者Ｍが、ケーブルの布設経路の始端側から後端側に向かって移動する。この作業者Ｍの移動により、上記実施の形態１と同様にして、ガイドロープ５がケーブルラック１内に延線される。
【００３５】
このように、この実施の形態３によれば、連結された２本の操作棒３０が本体１０に装着されるようになっているので、作業者Ｍが操作棒３０を持ってスイングアーム２０を装着した本体１０を安定して支持することができ、操作安定性を向上させることができる。
ここで、実施の形態３では、連結された２本の操作棒３０を本体１０に装着するものとしているが、操作棒３０は３本以上であってもよい。
【００３６】
なお、上記各実施の形態では、３本のスイングアーム２０が本体１０に取り付けられているものとしているが、スイングアーム２０の本数は少なくとも３本あればよい。
【００３７】
また、上記各実施の形態では、操作棒取付部１５の取付穴１５ａに対する操作棒３０の装着方向について説明していないが、操作棒３０を一側から取付穴１５ａに装着できるようにしてもよく、両側（上下）から取付穴１５ａに装着できるようにしてもよい。
そして、操作棒３０を両側（上下）から取付穴１５ａに装着できるようにした場合には、例えば図３において、操作棒３０の装着方向を変えることにより、ケーブル引き装置１００の移動方向を変えることなく、案内棒４０を逆側からケーブルラック１上に位置させることができ、さらには、操作棒３０の装着方向を変え、案内棒４０を同じ側からケーブルラック１上に位置させることにより、ケーブル引き装置１００の移動方向を反対方向とすることができるので、汎用性に優れたケーブル引き装置が得られる。
【００３８】
【発明の効果】
この発明は、以上のように構成されているので、以下に記載されるような効果を奏する。
【００３９】
この発明によれば、長尺の本体と、上記本体の長さ方向と直交するように該本体に装着される操作棒と、それぞれの一端側が上記操作棒の長さ方向と平行な軸周りに回動可能に、かつ、上記本体の長さ方向に所定ピッチで上記本体に取り付けられた少なくとも３本のスイングアームと、上記少なくとも３本のスイングアームのそれぞれを上記本体の長さ方向および上記軸の軸心に対して直交する方向に上記本体から延出する作動位置に係止して該スイングアームの上記軸周りの回動を阻止するスイングアーム係止手段と、上記作動位置にある上記少なくとも３本のスイングアームのそれぞれの他端側と該スイングアームに対して上記本体の長さ方向の一側に所定距離離れた該本体の部位との間に張設されたワイヤを備え、該ワイヤが上記本体の長手方向の一側から該スイングアームに接近する障害物により押圧されると、上記スイングアーム係止手段による上記スイングアームの係止を解除させるスイングアーム係止解除手段と、上記少なくとも３本のスイングアームのそれぞれを上記作動位置に向かって付勢する方向に上記軸に取り付けられる付勢手段と、鍔が上記所定ピッチと同一ピッチで設けられ、該鍔が上記作動位置にある上記少なくとも３本のスイングアームの他端にそれぞれ長さ方向の一側に密接して位置するように装着され、かつ、ガイドロープが長さ方向の他側の端部に取り付けられる長尺の案内棒と、上記少なくとも３本のスイングアームのそれぞれが上記作動位置にあるときに該スイングアームと上記案内棒とを係止し、該スイングアームが上記作動位置から上記軸周りに回動する際に該スイングアームと該案内棒との係止を解除する案内棒着脱手段とを備えているので、ガイドロープの延線作業における高所での両手による作業や、梯子の上り下りが不要となり、作業者の負荷を軽減するとともに、作業時間の短縮を図ることができるケーブル延線用ガイドロープ引き装置が得られる。
【００４０】
また、上記少なくとも３本のスイングアームのそれぞれが収納される開口が上記本体の長さ方向に上記所定ピッチで該本体に設けられ、上記少なくとも３本のスイングアームは、それぞれの一端側が上記本体の上記開口内に収納されて上記軸周りに回動可能に取り付けられ、かつ、上記作動位置からの上記軸周りに回動する際に上記本体と重なり合う部分が上記本体の上記開口内に収納されるように構成されているので、装置の小型化が図られるとともに、運搬性および収納性の向上が図られる。
【００４１】
また、上記スイングアーム係止手段が、上記少なくとも３本のスイングアームの一端側に対してそれぞれ上記本体の長さ方向の一側に上記本体の長さ方向に往復移動可能に上記本体内に配設された係止ピンと、上記少なくとも３本のスイングアームのそれぞれの一端側に設けられ、上記係止ピンの往復移動により該係止ピンが挿脱される孔と、上記係止ピンが上記孔に挿入される方向に該係止ピンを付勢する第１のスプリングとから構成されているので、スイングアームが作動位置にくると自動的に係止ピンが孔に挿入され、簡易な構造で、容易にスイングアームを作動位置に位置決め固定できる。
【００４２】
また、上記スイングアーム係止解除手段が、上記少なくとも３本のスイングアームのそれぞれに配設され、バネ力が上記第１のスプリングのバネ力より大きく設定された第２のスプリングと、上記係止ピンの上記本体の長さ方向の一側にそれぞれ配設されたローラおよび上記少なくとも３本のスイングアームの他端側にそれぞれ配設されたローラに掛け渡され、一端が上記係止ピンに接続され、他端がピンを介して上記第２のスプリングに接続されて上記係止ピンと上記ピンとの間に張設された上記ワイヤと、上記ピンに固着されて、上記少なくとも３本のスイングアームが上記作動位置にある時に、上記係止ピンの上記孔への挿入状態が維持されるように上記第２のスプリングのバネ力を受け止めるストッパとから構成されているので、障害物がスイングアームに近接すると、速やかにスイングアームの係止が解除されて、障害物がスイングアームに当たり押圧したときに、スイングアームが軸周りに回動できるようになる。
【００４３】
また、上記案内棒が磁性材料で作製され、上記案内棒着脱手段が上記少なくとも３本のスイングアームの他端にそれぞれ装着されたマグネットで構成されているので、案内棒とスイングアームとの係止が確実に行われる。
【００４４】
また、間隔が外方に向かって徐々に大きくなるように構成された一対のガイドが上記少なくとも３本のスイングアームの他端にそれぞれ装着されているので、案内棒のスイングアームへの着脱がスムーズに行われる。
【００４５】
また、上記案内棒着脱手段が、上記少なくとも３本のスイングアームの他端にそれぞれ装着された外側が開口する断面Ｃ状の把持部と、上記案内棒の上記鍔のそれぞれから長さ方向の他側に所定距離離れた部位が上記把持部の開口を挿脱させる径に縮小化された径小部とから構成されているので、案内棒を軽い材料で作製することができ、装置の軽量化が図られる。
【図面の簡単な説明】
【図１】  この発明の実施の形態１に係るケーブル延線用ガイドロープ引き装置を示す斜視図である。
【図２】  この発明の実施の形態１に係るケーブル延線用ガイドロープ引き装置の要部を示す一部破断上面図である。
【図３】  この発明の実施の形態１に係るケーブル延線用ガイドロープ引き装置を用いたガイドロープの延線作業を説明する斜視図である。
【図４】  この発明の実施の形態１に係るケーブル延線用ガイドロープ引き装置を用いたガイドロープの延線作業におけるスイングアームの吊りボルト回避動作を説明する斜視図である。
【図５】  この発明の実施の形態１に係るケーブル延線用ガイドロープ引き装置を用いたガイドロープの延線作業におけるスイングアームの吊りボルト回避動作を説明する斜視図である。
【図６】  この発明の実施の形態１に係るケーブル延線用ガイドロープ引き装置を用いたガイドロープの延線作業におけるスイングアームの吊りボルト回避動作を説明する斜視図である。
【図７】  この発明の実施の形態１に係るケーブル延線用ガイドロープ引き装置を用いたガイドロープの延線作業におけるスイングアームの吊りボルト回避動作を説明する斜視図である。
【図８】  この発明の実施の形態２に係るケーブル延線用ガイドロープ引き装置における案内棒の着脱を説明する要部斜視図である。
【図９】  この発明の実施の形態３に係るケーブル延線用ガイドロープ引き装置を用いたガイドロープの延線作業を説明する斜視図である。
【図１０】  従来のケーブル布設作業を説明する斜視図である。
【符号の説明】
２  吊りボルト（障害物）、５  ガイドロープ、１０  本体、１１  係止ピン（スイングアーム係止手段）、１２  第１のスプリング（スイングアーム係止手段）、１３、２５  ローラ（スイングアーム係止解除手段）、２０  スイングアーム、２０ａ  孔（スイングアーム係止手段）、２１  軸、２２  コイルバネ（付勢手段）、２３  第２のスプリング（スイングアーム係止解除手段）、２４  ピン（スイングアーム係止解除手段）、２４ａ  ストッパ（スイングアーム係止解除手段）、２６  ワイヤ（スイングアーム係止解除手段）、２７  マグネット（案内棒着脱手段）、２８  ガイド、３０  操作棒、４０、５１  案内棒、４１、５２  鍔、  ５０  把持部（案内棒着脱手段）、５３  径小部（案内棒着脱手段）。
【図１】
0004144719.tif 000002
【図２】
0004144719.tif 000003
【図３】
0004144719.tif 000004
【図４】
0004144719.tif 000005
【図５】
0004144719.tif 000006
【図６】
0004144719.tif 000007
【図７】
0004144719.tif 000008
【図８】
0004144719.tif 000009
【図９】
0004144719.tif 000010
【図１０】
0004144719.tif 000011